(57)【特許請求の範囲】
【請求項１】
電気部品を載置する載置部と該電気部品の複数の電極に対向する位置に配された電気導通部材を有するソケット本体と、該ソケット本体に枢動可能に取り付けられた押さえカバーと、前記電気部品を押圧するプレッシャー手段とを備える電気部品用ソケットにおいて、
前記押さえカバーの下側に揺動可能に係止され、前記プレッシャー手段を前記電気部品の各位置を略平衡に押圧する姿勢に誘導後該姿勢を維持しつつ案内するガイド手段を設け、
前記押さえカバー閉塞時に、前記ガイド手段の下面として形成された水平面を、前記ソケット本体の上面として形成された水平面に当接させて前記ガイド手段の姿勢を規制すると共に、前記ガイド手段の一部において前記下面よりも下方に突出形成された突部を前記ソケット本体の前記水平面に対して陥没形成された嵌合凹部に嵌合させて前記ガイド手段の前記ソケット本体の前記水平面に対する水平方向の位置規制を行うように設定し、前記押さえカバーにより前記プレッシャー手段を押圧し、該プレッシャー手段で前記電気部品を押圧するようにしたことを特徴とする電気部品用ソケット。
【請求項２】
電気部品を載置する載置部と該電気部品の複数の電極に対向する位置に配された電気導通部材を有するソケット本体と、該ソケット本体に枢動可能に取り付けられた押さえカバーと、前記電気部品を押圧するプレッシャー手段とを備える電気部品用ソケットにおいて、
前記押さえカバーの下側に揺動可能に係止された、前記プレッシャー手段を前記電気部品の各位置を略平衡に押圧する姿勢に誘導後該姿勢を維持しつつ案内するガイド手段を設け、
前記押さえカバー閉塞時に、前記ガイド手段の下面として形成された水平面を、前記ソケット本体の上面として形成された水平面に当接させて前記ガイド手段の姿勢を規制し、前記ガイド手段に前記下面よりも下方に向けて形成された傾斜当接面を、前記ソケット本体において前記上面よりも下側に設けられた前記電気部品が載置される凹所の周囲から前記上面にかけて形成された傾斜壁に当接させることにより、前記ソケット本体に対する水平方向の位置規制を行うように設定し、
前記押さえカバーにより前記プレッシャー手段を押圧し、該プレッシャー手段で前記電気部品を押圧するようにしたことを特徴とする電気部品用ソケット。
【請求項３】
前記ガイド手段の基端部側を、前記押さえカバーの回転軸に軸止したことを特徴とする請求項１又は２に記載の電気部品用ソケット。
【請求項４】
前記プレッシャー手段は、前記押さえカバーに弾性手段を介して設けられていることを特徴とする請求項１乃至３何れか一つに記載の電気部品用ソケット。
【請求項５】
前記プレッシャー手段は長孔を備え、該長孔に前記押さえカバーの軸が挿入されて前記プレッシャー手段が前記押さえカバーに連結されていることを特徴とする請求項１乃至４何れか一つに記載の電気部品用ソケット。
【請求項６】
前記電気部品が、電気部品本体の下面に突状の電極が設けられた電気部品である場合には、前記プレッシャー手段により、前記電気部品本体の上面を押圧することを特徴とする請求項１乃至５何れか一つに記載の電気部品用ソケット。
【請求項７】
前記電気部品が、電気部品本体の側方に電極が突設された電気部品である場合には、前記プレッシャー手段により、前記電極を押圧することを特徴とする請求項１乃至５何れか一つに記載の電気部品用ソケット。
【発明の詳細な説明】
【０００１】
【発明の属する技術分野】
この発明は、半導体装置（以下「ＩＣ」という）等の電気部品を着脱自在に保持する電気部品用ソケットの改良に関するものである。
【０００２】
【従来の技術】
従来のこの種の電気部品用ソケットとしては、「電気部品」としてのＩＣを、バーンイン試験等の性能試験を行うために保持するようにしたものがある。
【０００３】
この電気部品用ソケットは、ＩＣがソケット本体に載置され、このソケット本体に回動自在に取り付けられた押さえカバーを下方に回動させることにより、この押さえカバーで、ソケット本体に載置されたＩＣを上方から押さえ、ＩＣに設けられた多数の電極を、ソケット本体側に設けられた電気導通部材に所定の圧力で圧接するようにしている。
【０００４】
【発明が解決しようとする課題】
しかしながら、このような従来のものにあっては、押さえカバーが回動軸を中心に回動動作を行うものであり、上方から下方に向けて垂直移動してＩＣを押さえるものと異なり、回動軸に近い部分が最初にＩＣを押圧し、その後、回動軸から遠い部分がＩＣを押圧してしまい、同時押圧が困難である。その結果、まず回動軸に近い部分に大きな押圧力がかかってしまい、この部分のＩＣの電極が変形する虞があった。
【０００５】
そこで、この発明は、ＩＣ等の電気部品を平衡に押圧することができ、電極の損傷を防止できる電気部品用ソケットを提供することを課題としている。
【０００６】
【課題を解決するための手段】
かかる課題を達成するために、請求項１に記載の発明は、電気部品を載置する載置部と該電気部品の複数の電極に対向する位置に配された電気導通部材を有するソケット本体と、該ソケット本体に枢動可能に取り付けられた押さえカバーと、前記電気部品を押圧するプレッシャー手段とを備える電気部品用ソケットにおいて、前記押さえカバーの下側に揺動可能に係止され、前記プレッシャー手段を前記電気部品の各位置を略平衡に押圧する姿勢に誘導後該姿勢を維持しつつ案内するガイド手段を設け、前記押さえカバー閉塞時に、前記ガイド手段の下面として形成された水平面を、前記ソケット本体の上面として形成された水平面に当接させて前記ガイド手段の姿勢を規制すると共に、前記ガイド手段の一部において前記下面よりも下方に突出形成された突部を前記ソケット本体の前記水平面に対して陥没形成された嵌合凹部に嵌合させて前記ガイド手段の前記ソケット本体の前記水平面に対する水平方向の位置規制を行うように設定し、前記押さえカバーにより前記プレッシャー手段を押圧し、該プレッシャー手段で前記電気部品を押圧するようにしたことを特徴とする。
【０００７】
請求項２に記載の発明は、電気部品を載置する載置部と該電気部品の複数の電極に対向する位置に配された電気導通部材を有するソケット本体と、該ソケット本体に枢動可能に取り付けられた押さえカバーと、前記電気部品を押圧するプレッシャー手段とを備える電気部品用ソケットにおいて、前記押さえカバーの下側に揺動可能に係止された、前記プレッシャー手段を前記電気部品の各位置を略平衡に押圧する姿勢に誘導後該姿勢を維持しつつ案内するガイド手段を設け、前記押さえカバー閉塞時に、前記ガイド手段の下面として形成された水平面を、前記ソケット本体の上面として形成された水平面に当接させて前記ガイド手段の姿勢を規制し、前記ガイド手段に前記下面よりも下方に向けて形成された傾斜当接面を、前記ソケット本体において前記上面よりも下側に設けられた前記電気部品が載置される凹所の周囲から前記上面にかけて形成された傾斜壁に当接させることにより、前記ソケット本体に対する水平方向の位置規制を行うように設定し、前記押さえカバーにより前記プレッシャー手段を押圧し、該プレッシャー手段で前記電気部品を押圧するようにしたことを特徴とする。
【００１１】
請求項３に記載の発明は、請求項１又は２に記載の構成に加え、前記ガイド手段の基端部側を、前記押さえカバーの回転軸に軸止したことを特徴とする。
【００１４】
請求項４に記載の発明は、請求項１乃至３の何れか一つに記載の構成に加え、前記プレッシャー手段は、前記押さえカバーに弾性手段を介して設けられていることを特徴とする。
【００１５】
請求項５に記載の発明は、請求項１乃至４の何れか一つに記載の構成に加え、前記プレッシャー手段は長孔を備え、該長孔に前記押さえカバーの軸が挿入されて前記プレッシャー手段が前記押さえカバーに連結されていることを特徴とする。
【００１６】
請求項６に記載の発明は、請求項１乃至５の何れか一つに記載の構成に加え、前記電気部品が、電気部品本体の下面に突状の電極が設けられた電気部品である場合には、前記プレッシャー手段により、前記電気部品本体の上面を押圧することを特徴とする。
【００１７】
請求項７に記載の発明は、請求項１乃至５の何れか一つに記載の構成に加え、前記電気部品が、電気部品本体の側方に電極が突設された電気部品である場合には、前記プレッシャー手段により、前記電極を押圧することを特徴とする。
【００１８】
【発明の実施の形態】
以下、この発明の実施の形態について説明する。
【００１９】
［発明の実施の形態１］
図１乃至図６には、この発明の実施の形態１を示す。
【００２０】
まず構成を説明すると、図中符号１１は電気部品用ソケットで、この電気部品用ソケット１１は、「電気部品」であるＩＣ１２を着脱自在に保持し、保持した状態で搬送されて、この電気部品用ソケット１１が図外のＩＣソケットにセットされるようになっている。そして、そのＩＣ１２の性能試験を行うために、このＩＣ１２の「電極」としての端子１２ｂを電気部品用ソケット１１を介してＩＣソケットのコンタクトピンに導通させ、更に、このコンタクトピンを測定器（テスター）のプリント配線板（図示省略）に電気的に接続するようにしている。
【００２１】
そのＩＣ１２は、「電気部品本体」としてのＩＣ本体１２ａの下面の周縁部から多数の端子１２ｂが突出されている。
【００２２】
一方、電気部品用ソケット１１は、大略すると、ＩＣ１２が挿入されるソケット本体１３を有し、このソケット本体１３に、回動軸１４を介して押さえカバー１５が回動自在に配設され、この押さえカバー１５を下方に向けて回動させることにより、ソケット本体１３上に載置されたＩＣ１２が上方から押さえられるようになっている。
【００２３】
詳しくは、そのソケット本体１３は、ＩＣ１２が位置決めされた状態で挿入されて載置される凹所１３ａが形成され、この凹所１３ａの底面部に、プリント基板１３ｂが配設され、このプリント基板１３ｂには、ＩＣ１２の端子１２ｂと対応した位置で、この端子１２ｂが圧接される「電気導通部材」としてのランド１３ｃが形成されている。
【００２４】
一方、押さえカバー１５は、基端部１５ａ側が前記回動軸１４によりソケット本体１３に回動自在に取り付けられ、スプリング１６により開成方向に付勢されている。また、この押さえカバー１５の先端部１５ｂ側には、被係止部１５ｃが形成され、この被係止部１５ｃに、ソケット本体１３に回動自在に取り付けられたラッチ１７が係脱されるようになっている。このラッチ１７は、スプリング１８により、図１中時計回り、つまり、係止方向に付勢されており、押さえカバー１５を閉塞方向に回動させて閉塞状態が完了したときに、ラッチ１７が被係止部１５ｃに係止するようになっている（図５参照）。
【００２５】
また、この押さえカバー１５には、この押さえカバー１５の閉塞時に、ＩＣ１２を上方から押さえる「プレッシャー手段」としてのプレッシャー部材２０及びこのプレッシャー部材２０を案内する「ガイド手段」としてのガイド部材２１が配設されている。
【００２６】
このガイド部材２１は、プレッシャー部材２０が挿通されるガイド孔２１ａが上下方向に沿って形成されている。また、このガイド部材２１には、上面から複数の係止片２１ｂが上方に向けて突設され、この係止片２１ｂが押さえカバー１５の遊挿孔１５ｄに遊挿されて被係止面１５ｅに係止されるようになっている。この係止状態で、ガイド部材２１は押さえカバー１５に対して揺動するように設定されると共に、このガイド部材２１と押さえカバー１５との間には、コイルスプリング２２が配設されている。そして、このガイド部材２１の下面２１ｃが、前記ソケット本体１３の凹所１３ａ周囲の上面１３ｄに当接するようになっている。このとき、ガイド部材２１に設けられている位置決め突起２１ｄがソケット本体１３の嵌合凹部１３ｈに嵌合し、ガイド部材２１が水平方向にずれるのを防止している。
【００２７】
また、プレッシャー部材２０は、上部に係止凸部２０ａが側方に向けて突設されており、前記押さえカバー１５の開口１５ｆに挿入されて、その係止凸部２０ａが押さえカバー１５の受け部１５ｇに係止されるようになっている。この係止状態で、プレッシャー部材２０は押さえカバー１５に対して揺動されるように設定されている。そして、このプレッシャー部材２０と押さえカバー１５との間に、コイルスプリング２４が配設され、このプレッシャー部材２０の下面２０ｂにより、ＩＣ１２の上面が広範囲に渡って押圧されるようになっている。
【００２８】
次に、かかる構成の電気部品用ソケット１１の使用方法について説明する。
【００２９】
予め、図示省略のＩＣソケットを多数、プリント配線板上に配設しておき、これらＩＣソケットに、ＩＣ１２が保持された電気部品用ソケット１１を例えば自動機によりセットする。
【００３０】
この電気部品用ソケット１１へのＩＣ１２の装着は以下のようにして行う。
【００３１】
すなわち、まず、ソケット本体１３の凹所１３ａ内にＩＣ１２を載置し、その後、押さえカバー１５を回動軸１４を中心にスプリング１６の付勢力に抗して閉塞方向に回動させる。すると、まず、ガイド部材２１の下面２１ｃがソケット本体１３の凹所１３ａ周囲の上面１３ｄに当接する（図２参照）。この状態から、更に押さえカバー１５を回動させると、ガイド部材２１の下面２１ｃが、ソケット本体１３の上面１３ｄに面接触することにより、このガイド部材２１がコイルスプリング２２の付勢力に抗して押さえカバー１５に対して変位しながらソケット本体１３に対して所定の姿勢、すなわち、ガイド部材２１のガイド孔２１ａの中心線が、ソケット本体１３の上面１３ｄ（換言すればＩＣ１２の上面）に対して垂直となるように規制される（図３参照）。
【００３２】
さらに押さえカバー１５が回動されると、プレッシャー部材２０が、そのように規制されたガイド部材２１のガイド孔２１ａに案内されて、コイルスプリング２４の付勢力により押されて下降され、このプレッシャー部材２０の下面２０ｂがＩＣ１２の上面に当接する（図４参照）。この際には、プレッシャー部材２０は、ガイド孔２１ａにて案内されるが、このガイド孔２１ａは、中心軸が、ＩＣ１２の上面に対して略垂直となっているため、プレッシャー部材２０の下面２０ｂは、ＩＣ１２の上面に対して平行を保ちながら垂直に下降して当接する。
【００３３】
その後、図５に示すように、この押さえカバー１５の被係止部１５ｃにラッチ１７が係止されることにより、この押さえカバー１５の閉塞が完了し、コイルスプリング２４の付勢力により、プレッシャー部材２０にてＩＣ１２の上面が広範囲に渡って平衡に押圧されることとなる。
【００３４】
このように、まず、ガイド部材２１をソケット本体１３の上面に当接させて所定の姿勢に規制し、その後、このガイド部材２１のガイド孔２１ａにプレッシャー部材２０を案内させるようにしているため、このプレッシャー部材２０を、上方から下方に垂直移動させることができることから、ＩＣ１２の上面が広範囲に渡って平衡に押圧することができる。従って、回動軸１４の近傍の端子１２ｂが他の部分より先に強くランド１３ｃに押圧されることがないことから、この端子１２ｂの変形等を防止することができる。
【００３５】
特に、かかるＩＣ１２が小型化し、端子１２ｂが金,錫、その他の柔らかい金属で形成されている場合には、この発明のように各端子１２ｂを平衡に押圧することは極めて有効である。
【００３６】
なお、上記コイルスプリング２２の形状は、円筒形状に限らず、円錐形状や鼓形状等でも良いし、又、このコイルスプリング２２を、ソケット本体１３とガイド部材２１との間に配設しても良い。また、コイルスプリング２２の代わりに、トーションバネ等、他の形態のバネとすることもできる。さらに、このコイルスプリング２２で、押さえカバー１５とガイド部材２１とを連結するようにすれば、係止片２１ｂを廃止することもできる。さらにまた、係止片２１ｂが形成されていれば、必ずしも、コイルスプリング２２がなくとも良い。また、図１５に示すように、コイルスプリング２４の上下端を押さえカバー１５のコイルスプリング嵌合部１５ｈ及びプレッシャー部材２０のコイルスプリング嵌合部２０ｃにそれぞれ嵌合させることにより、プレッシャー部材２０の係止凸部２０ａを廃止することもできる。
【００３７】
［発明の実施の形態２］
図７乃至図９には、この発明の実施の形態２を示す。
【００３８】
この実施の形態２は、押さえカバー１５の下側に配設されたガイド部材２６に基端部が設けられている点で、実施の形態１と異なっている。
【００３９】
すなわち、このガイド部材２６は、押さえカバー１５と同じ回動軸１４に上下方向に沿う長孔２６ａを介して枢動可能に配設され、この長孔２６ａにより、ガイド部材２６の基端部側が上下方向に変位するようになっている。そして、このガイド部材２６の基端部側がガイド部材側スプリング２７により上方に付勢されている。また、このガイド部材２６には、先端側にフック片２６ｂが上方に向けて延設されて押さえカバー１５に係止されている。さらに、このガイド部材２６には、プレッシャー部材２８を案内するガイド部２６ｃが一体成形され、このガイド部２６ｃのガイド孔２６ｅにプレッシャー部材２８が挿入されるようになっている。そして、このガイド部材２６の下面２６ｄが、ソケット本体１３の凹所１３ａ周囲の上面１３ｄに当接するようになっている。
【００４０】
一方、プレッシャー部材２８は、有底筒状を呈し、上部に押さえカバー１５の受け部１５ｇに係止するフランジ部２８ａが形成され、底面部２８ｂにてＩＣ１２の上面が広範囲に渡って押圧されるようになっている。
【００４１】
そして、そのフランジ部２８ａと押さえカバー１５の受け部１５ｇとの間にコイルスプリング３１が、又、プレッシャー部材２８の底面部２８ｂと押さえカバー１５との間にコイルスプリング３０が配設されている。
【００４２】
なお、図示していないが、押さえカバー１５を開成方向に付勢するスプリングが、回転軸１４側に別途設けられている。
【００４３】
次に、作用について説明する。
【００４４】
ＩＣ１２をソケット本体１３の凹所１３ａ内に載置し、押さえカバー１５及びガイド部材２６をスプリングの付勢力に抗して下方に向けて回動させる。すると、まず、ガイド部材２６の前端部側の下面２６ｄが、ソケット本体１３の凹所１３ａ周縁部の上面１３ｄに当接する。この当接初期には、その前端部側の下面２６ｄがソケット本体１３の上面１３ｄに片当たりするが、更に、回動させることにより、ガイド部材２６の基端部側が、押さえカバー１５に押されて長孔２６ａを介して下方に変位することで、下面２６ｄ全面が、ソケット本体１３の上面１３ｄに面接触する（図８参照）。これにより、ガイド部材２６の姿勢が規制された状態で可動が停止され、ガイド部材２６のガイド孔２６ｅの中心線が、ソケット本体上面１３ｄに対して垂直となる。
【００４５】
この状態から、更に、押さえカバー１５を回動させると、コイルスプリング３０の付勢力により、プレッシャー部材２８が押されて、ガイド孔２６ｅに案内されて、ＩＣ１２の上面と垂直な方向で下降される。そして、このプレッシャー部材２８の底面部２８ｂでＩＣ１２の上面が広範囲に渡って平衡に押圧され、ＩＣ１２の各端子１２ｂが、ソケット本体１３のランド１３ｃに所定の圧力で押圧されることとなる。押さえカバー１５を完全に閉塞した状態では、ラッチ１７の係止により、閉塞状態が維持されることとなる（図９参照）。
【００４６】
一方、このＩＣ１２を取り出すには、ラッチ１７を外すことにより、押さえカバー１５が図示省略のスプリングの付勢力により、開成方向に回動されると共に、両コイルスプリング３０，３１が伸長して、プレッシャー部材２８が上昇して、ＩＣ１２上面から離間する。
【００４７】
そして、押さえカバー１５が更に開成されることにより、ガイド部材２６のフック片２６ｂが押さえカバー１５に係止され、この押さえカバー１５と共にガイド部材２６が開成されて、ＩＣ１２をソケット本体１３から取り外すことができる。
【００４８】
他の構成及び作用は実施の形態１と同様である。
【００４９】
なお、図１６に示すように、コイルスプリング３０の上下端を押さえカバー１５のコイルスプリング嵌合部１５ｈ、及びプレッシャー部材２８のコイルスプリング嵌合部２８ｃにそれぞれ嵌合させることにより、プレッシャー部材２８のフランジ部２８ａ及びコイルスプリング３１を廃止することもできる。
【００５０】
［発明の実施の形態３］
図１０及び図１１には、この発明の実施の形態３を示す。
【００５１】
上記実施の形態３は、実施の形態１と比較すると、実施の形態１では、ガイド部材２１が押さえカバー１５側に取り付けられているのに対し、この実施の形態３は、ソケット本体１３にガイド部１３ｅが上方に突出して一体成形されている点で異なっている。
【００５２】
これによれば、押さえカバー１５を下方に向けて回動させると、プレッシャー部材２０の下端部側が、ガイド部１３ｅのテーパ面１３ｆに案内されて、ガイド部１３ｅの鉛直面１３ｇに至る。そして、更に、押さえカバー１５を下方に向けて回動させることにより、このガイド部材２１の鉛直面１３ｇにて、プレッシャー部材２０が上下方向に垂直移動される。
【００５３】
そして、プレッシャー部材２０がコイルスプリング２４の付勢力にて押されて、ＩＣ１２の上面が広範囲に渡って平衡に押圧されることとなる。
【００５４】
［発明の実施の形態４］
図１２乃至図１４には、この発明の実施の形態４を示す。
【００５５】
上記各実施の形態では、底面に端子１２ｂが形成されたＩＣ１２を保持するものにこの発明が適用されているのに対し、この実施の形態４は、ＩＣ本体３４ａの周縁部から多数の端子３４ｂが側方に向けて突設されたいわゆるガルウイングタイプ型のＩＣ３４を保持するものにこの発明を適用したものである。
【００５６】
具体的には、ソケット本体１３側のプリント基板１３ｂに、そのＩＣ３４が位置決めされた状態で配設される配設凹部１３ｈが形成され、この配設凹部１３ｈに設けられたランド１３ｃが、ＩＣ３４の端子３４ｂに接触されるようになっている。この配設凹部１３ｈの深さは、端子３４ｂの上部側が上方に突出するような深さに設定されている。
【００５７】
また、このプレッシャー部材２０には、ＩＣ３４の端子３４ｂを押圧する突片２０ｃが突設されることにより、ＩＣ３４のＩＣ本体３４ａがプレッシャー部材２０に接触しないようになっている。
【００５８】
この場合でも、プレッシャー部材２０がガイド部材２１に案内されることにより、プレッシャー部材２０の突片２０ｃにて、多数の端子３４ｂが平衡にランド１３ｃに押圧され、端子３４ｂの変形が防止されることとなる。
【００５９】
［発明の実施の形態５］
図１７には、この発明の実施の形態５を示す。
【００６０】
この実施の形態５は、実施の形態１と比較すると、実施の形態１では、プレッシャー部材２０が押さえカバー１５に対して、係止凸部２０ａが受け部１５ｇに係止し、コイルスプリング２４で付勢されているのに対し、この実施の形態５は「プレッシャー手段」としてのプレッシャープレート３５は長孔３５ａを有しており、この長孔３５ａに押さえカバー１５の軸１５ｉが挿入されて、プレッシャープレート３５と押さえカバー１５とが連結されている。また、ＩＣ１２はプリント基板上ではなく、フィルム基板３６に載置されており、その下層には弾力性を有する部材、例えばゴム３７が設けられている点で実施の形態１と相違している。
【００６１】
これによれば、押さえカバー１５を下方に向けて回動させると、プレッシャープレート３５は、ガイド部材２１のガイド孔２１ａに案内されながら、軸１５ｉにプレッシャープレート３５の長孔３５ａの上端部が到達するまで、自重で下降する。更に、押さえカバー１５を下方に回動させると、プレッシャープレート３５はＩＣ１２の上面に当接し、その後、プレッシャープレート３５の頂部３５ｂが押さえカバー１５の当接部１５ｊに当接し、プレッシャープレート３５が押さえカバー１５に直接押し下げられ、プレッシャープレート３５が下方に垂直移動し、ＩＣ１２の上面が広範囲に渡って平衡に押圧されることとなる。
【００６２】
［発明の実施の形態６］
図１８乃至図２２には、この発明の実施の形態６を示す。
【００６３】
この実施の形態６の電気部品用ソケット４１は、大略すると、ＩＣ１２が挿入されるソケット本体４３を有し、このソケット本体４３に、回動軸４４を介して押さえカバー４５が回動自在に配設され、この押さえカバー４５を下方に向けて回動させることにより、ソケット本体４３上に載置されたＩＣ１２が上方から押さえられるようになっている。
【００６４】
詳しくは、そのソケット本体４３は、ＩＣ１２が位置決めされた状態で挿入されて載置される凹所４３ａが形成され、この凹所４３ａの底面部に、プリント基板４３ｂが配設され、このプリント基板４３ｂには、ＩＣ１２の端子１２ｂと対応した位置で、この端子１２ｂが圧接される実施の形態１と同様なランド４３ｃが形成されている。また、その凹所４３ａの側壁は、下部に鉛直壁４３ｄが形成され、この鉛直壁４３ｄの上側に上方に向かうに従って広がる傾斜壁４３ｅが形成されている。
【００６５】
一方、押さえカバー４５は、基端部４５ａ側が前記回動軸４４によりソケット本体４３に回動自在に取り付けられ、スプリング４６により開成方向に付勢されている。また、この押さえカバー４５の先端部４５ｂ側には、被係止部４５ｃが形成され、この被係止部４５ｃに、ソケット本体４３に回動自在に取り付けられたラッチ４７が係脱されるようになっている。このラッチ４７は、スプリング４８により、図１８中時計回り、つまり、係止方向に付勢されており、押さえカバー４５を閉塞方向に回動させて閉塞状態が完了したときに、このラッチ４７が被係止部４５ｃに係止するようになっている（図１８参照）。
【００６６】
また、この押さえカバー４５には、この押さえカバー４５の閉塞時に、ＩＣ１２を上方から押さえる「プレッシャー手段」としてのプレッシャー部材５０及びこのプレッシャー部材５０を案内する「ガイド手段」としてのガイド部材５１が配設されている。
【００６７】
このガイド部材５１は、プレッシャー部材５０が挿通されるガイド孔５１ａが上下方向に沿って形成されている。また、このガイド部材５１には、上方に向けて一対の支持片５１ｂが突設され、この支持片５１ｂに押さえカバー４５に固定されたシャフト５２が遊挿される遊挿孔５１ｃが形成されている。この状態では、ガイド部材５１は押さえカバー４５に対して揺動するようになっている。そして、このシャフト５２とガイド部材５１との間にコイルスプリング５３が配設される一方、ガイド部材５１の水平当接面５１ｄが、ソケット本体４３の「規定面」としての上面４３ｆに当接すると共に、ガイド部材５１の傾斜当接面５１ｅが、ソケット本体４３の「規定面」としての傾斜壁４３ｅに当接するようになっている。このガイド部材水平当接面５１ｄとソケット本体上面４３ｆとの面接触により、ガイド部材５１の姿勢が規制されると共に、ガイド部材傾斜当接面５１ｅとソケット本体傾斜壁４３ｅとの面接触により、ガイド部材５１のソケット本体４３に対する水平方向の位置規制が行われるようになっている。
【００６８】
また、プレッシャー部材５０は、図２０に示すように、上部に一対の支持片５０ａが上方に向けて突設されており、これら支持片５０ａには、前記シャフト５２が遊挿される遊挿孔５０ｂが形成され、押さえカバー４５に対して揺動自在に支持されている。そして、このプレッシャー部材５０と押さえカバー４５との間に、コイルスプリング５４が配設され、このプレッシャー部材５０の下面５０ｃにより、ＩＣ１２の上面が広範囲に渡って平衡に押圧されるようになっている。このプレッシャー部材５０は、下端部に柱状部５０ｄが形成され、この柱状部５０ｄが鉛直壁４３ｄに案内されるようになっている。
【００６９】
次に、かかる構成の電気部品用ソケット４１の使用方法について説明する。
【００７０】
かかる電気部品用ソケット４１にＩＣ１２をセットするには、このＩＣ１２をソケット本体４３の凹所４３ａ内に載置し（図２１（ａ）参照）、その後、押さえカバー４５を回動軸４４を中心にスプリング４６の付勢力に抗して閉塞方向に回動させる。すると、まず、ガイド部材５１の水平当接面５１ｄの一部がソケット本体４３の凹所４３ａ周囲の上面４３ｄに当接すると共に、ガイド部材５１の傾斜当接面５１ｅの一部がソケット本体４３の凹所４３ａの傾斜壁４３ｅに当接する（図２１（ｂ）,図２２（ａ）等参照）。
【００７１】
この状態から、更に、押さえカバー４５を回動させると、このガイド部材５１がコイルスプリング５３の付勢力に抗して押さえカバー４５に対して変位しながら、ガイド部材５１の水平当接面５１ｄが、ソケット本体４３の上面４３ｆに面接触すると共に、ガイド部材５１の傾斜当接面５１ｅがソケット本体４３の凹所４３ａの傾斜壁４３ｅに面接触する。このようにして、ガイド部材５１は、所定の姿勢に規制されると共に、水平方向の位置規制が行われることから、ガイド部材５１のガイド孔５１ａの中心線が、ソケット本体４３の上面４３ｆ（換言すればＩＣ１２の上面）に対して垂直な中心線と一致することとなる。
【００７２】
さらに、押さえカバー４５が回動されると、プレッシャー部材５０が、そのように規制されたガイド部材５１のガイド孔５１ａに案内されて、コイルスプリング５４の付勢力により押されて下降され、このプレッシャー部材５０の柱状部５０ｄが、ソケット本体凹所４３ａの鉛直壁４３ｄに沿って挿入され、このプレッシャー部材５０の下面５０ｃがＩＣ１２の上面に当接する（図２２（ｂ）参照）。この際には、プレッシャー部材５０は、ガイド孔５１ａにて案内されるが、このガイド孔５１ａは、中心線が、ＩＣ１２の上面に対して略垂直となっているため、プレッシャー部材５０の下面５０ｃは、ＩＣ１２の上面に対して平行を保ちながら垂直に下降して当接する。しかも、そのガイド部材５１は水平方向の位置決めもなされているため、プレッシャー部材５０の下面５０ｃは、ＩＣ１２の上面の所定の位置を押圧することとなる。
【００７３】
そして、図２２の（ｂ）に示すように、この押さえカバー４５の被係止部４５ｃにラッチ４７が係止されることにより、この押さえカバー４５の閉塞が完了し、コイルスプリング５４の付勢力により、プレッシャー部材５０にてＩＣ１２の上面の所定位置が広範囲に渡って平衡に押圧されることとなる。
【００７４】
このように、まず、ガイド部材５１をソケット本体４３に対して所定の姿勢に規制すると共に水平方向の位置規制を行い、その後、このガイド部材５１のガイド孔５１ａにプレッシャー部材５０を案内させるようにしているため、このプレッシャー部材５０を、上方から下方に垂直移動させることができることから、ＩＣ１２の上面を広範囲に渡って平衡に押圧することができる。従って、回動軸４４の近傍の端子１２ｂが他の部分より先に強くランド１３ｃに押圧されることがないことから、この端子１２ｂの変形等を防止することができる。
【００７５】
なお、上記各実施の形態の電気部品用ソケットは、ＩＣ１２が小型で、且つ、樹脂でモールディングされていないため、このＩＣ１２の取り扱いが簡便なように、このＩＣ１２を保持し、この保持した状態で、別の装置であるＩＣソケットに装着するものであったが、この発明の電気部品用ソケットは、上記で説明したＩＣソケットやその他の装置にも適用できることは勿論である。
【００７６】
【発明の効果】
以上説明してきたように、各請求項に記載の発明によれば、プレッシャー手段を電気部品の各位置を略平衡に押圧する姿勢に誘導後該姿勢を維持しつつ案内するガイド手段を設け、このガイド手段によりプレッシャー手段が前記姿勢となった後、押さえカバーによりプレッシャー手段を押圧し、プレッシャー手段で電気部品を押圧するようにしたことにより、プレッシャー手段を上方から下方に垂直移動させることができることから、電気部品の各位置を平衡に押圧することができ、この電気部品の電極の変形等を防止することができる。
【００７７】
請求項３に記載の発明によれば、上記効果に加え、ガイド手段を押さえカバーの回動軸に軸止するようにしたので、軸は１本で良く、簡単な構造で、プレッシャー手段を上方から下方に垂直移動させることができる。
【００８０】
請求項４に記載の発明によれば、請求項１乃至３の何れかに記載の効果に加え、プレッシャー手段は、押さえカバーに弾性手段を介して設けたことにより、プレッシャー手段は押さえカバーの回動時にも、安定した動きを得ることができ、ガイド手段に案内されるプレッシャー手段の動きを滑らかにすることができる。
【００８１】
請求項５に記載の発明によれば、請求項１乃至４の何れかに記載の効果に加え、プレッシャー手段は長孔を備え、押さえカバーに軸を介して設けたことにより、プレッシャー手段は自重で下降させられるので、簡単な構造でプレッシャー手段を上方から下方に垂直移動させることができ、電気部品の各位置を平衡に押圧することができる。
【００８２】
請求項６に記載の発明によれば、電気部品本体の下面に突状の電極が設けられた電気部品においても、請求項１乃至５の何れかに記載の効果が得られる。
【００８３】
請求項７に記載の発明によれば、電気部品本体の側方に電極が突設された電気部品においても、請求項１乃至５の何れかに記載の効果が得られる。
【図面の簡単な説明】
【図１】この発明の実施の形態１に係る電気部品用ソケットの押さえカバーを開いた状態を示す断面図である。
【図２】同実施の形態１に係るガイド部材がソケット本体に当たった状態を示す図１に相当する断面図である。
【図３】同実施の形態１に係るガイド部材がソケット本体に面接触した状態を示す図１に相当する断面図である。
【図４】同実施の形態１に係るプレッシャー部材でＩＣを押し始めた状態を示す断面図である。
【図５】同実施の形態１に係る押さえカバーが閉塞された状態を示す断面図である。
【図６】同実施の形態１に係る電気部品用ソケットの一部を断面した斜視図である。
【図７】この発明の実施の形態２に係る図１に相当する断面図である。
【図８】同実施の形態２に係るセカンドカバーがソケット本体の上面に面接触した状態を示す図７に相当する断面図である。
【図９】同実施の形態２に押さえカバーを閉塞した状態を示す図７に相当する断面図である。
【図１０】この発明の実施の形態３に係る図１に相当する断面図である。
【図１１】同実施の形態３に係る押さえカバーを閉塞した状態を示す断面図である。
【図１２】この発明の実施の形態４に係る図１に相当する断面図である。
【図１３】同実施の形態４に係るガイド部材がソケット本体に当たった状態を示す断面図である。
【図１４】同実施の形態４に係る押さえカバーを閉塞した状態を示す図１２に相当する断面図である。
【図１５】この発明の実施の形態１の変形例を示す断面図である。
【図１６】この発明の実施の形態２の変形例を示す断面図である。
【図１７】この発明の実施の形態５に係る断面図である。
【図１８】この発明の実施の形態５に係る図１９のＡ−Ａ線に沿う断面図である。
【図１９】同実施の形態５に係る電気部品用ソケットの平面図である。
【図２０】同実施の形態５に係る図１９のＢ−Ｂ線に沿う断面図である。
【図２１】同実施の形態５に係る作用を示す説明図で、（ａ）は押さえカバーを開いた状態、（ｂ）は押さえカバーを閉める途中の状態を示す。
【図２２】同実施の形態５に係る作用を示す説明図で、（ａ）は押さえカバーを閉める途中の状態、（ｂ）は押さえカバーを完全に閉めた状態を示す。
【符号の説明】
11,41  電気部品用ソケット
12,34  ＩＣ（電気部品）
12a,34a ＩＣ本体（電気部品本体）
12b,34b 端子（電極）
13,43   ソケット本体
13b,43b プリント基板
13c ランド（電気導通部材）
13d,43f 上面（規定面）
43e 傾斜壁（規定面）
13e ガイド部（ガイド手段）
13h 嵌合凹部
15,45 押さえカバー
20,28,50  プレッシャー部材（プレッシャー手段）
21,26,51  ガイド部材（ガイド手段）
21d 位置決め突起
26c ガイド部（ガイド手段）
【図１】
0003961635.tif 000002
【図２】
0003961635.tif 000003
【図３】
0003961635.tif 000004
【図４】
0003961635.tif 000005
【図５】
0003961635.tif 000006
【図６】
0003961635.tif 000007
【図７】
0003961635.tif 000008
【図８】
0003961635.tif 000009
【図９】
0003961635.tif 000010
【図１０】
0003961635.tif 000011
【図１１】
0003961635.tif 000012
【図１２】
0003961635.tif 000013
【図１３】
0003961635.tif 000014
【図１４】
0003961635.tif 000015
【図１５】
0003961635.tif 000016
【図１６】
0003961635.tif 000017
【図１７】
0003961635.tif 000018
【図１８】
0003961635.tif 000019
【図１９】
0003961635.tif 000020
【図２０】
0003961635.tif 000021
【図２１】
0003961635.tif 000022
【図２２】
0003961635.tif 000023